(57)【要約】【課題】モアレ現象が生じることを防止することにより、視認性を改善することができるとともに、均一な電気伝導度及び視覚性を確保することができるタッチパネルを提供する。【解決手段】本発明によるタッチパネルは、辺を共有しながら配列される長方形を含むパターンに形成された電極２００を含み、前記長方形は互いに平行な第１辺及び第２辺と、互いに平行な第３辺及び第４辺と、からなり、前記第１辺の長さは前記第３辺の長さより長く、前記長方形において、前記長方形のうち第１長方形の第１辺と第２長方形の第３辺とがなす角が平角であり、第３長方形の第１辺と第４長方形の第３辺とがなす角が平角であり、前記第２長方形の第１辺と前記第３長方形の第４辺とがなす角が平角であるものである。【選択図】図１
2014049110.tif 000002
【特許請求の範囲】
【請求項１】
辺を共有しながら配列される長方形を含むパターンに形成された電極を含み、
前記長方形は互いに平行な第１辺及び第２辺と、互いに平行な第３辺及び第４辺と、からなり、前記第１辺の長さは前記第３辺の長さより長く、
前記長方形において、前記長方形のうち第１長方形の第１辺と第２長方形の第３辺とがなす角が平角であり、第３長方形の第１辺と第４長方形の第３辺とがなす角が平角であり、前記第２長方形の第１辺と前記第３長方形の第４辺とがなす角が平角であるタッチパネル。
【請求項２】
前記長方形の短い辺の長さと長い辺の長さとの割合が、１：２である請求項１に記載のタッチパネル。
【請求項３】
前記電極が形成された透明基板をさらに含む請求項１に記載のタッチパネル。
【請求項４】
前記電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される請求項１に記載のタッチパネル。
【請求項５】
前記電極は、銀塩乳剤層を露光／現像して形成される金属銀からなる請求項１に記載のタッチパネル。
【請求項６】
辺を共有しながら配列される平行四辺形を含むパターンに形成された電極を含み、
前記平行四辺形は互いに平行な第１辺及び第２辺と、互いに平行な第３辺及び第４辺と、からなり、前記第１辺の長さは前記第３辺の長さより長く、前記第１辺と前記第３辺とがなす角は鋭角または鈍角であり、
前記パターンに含まれる前記平行四辺形において、前記平行四辺形のうち第１平行四辺形の第１辺と第２平行四辺形の第３辺とがなす角が平角であり、第３平行四辺形の第１辺と第４平行四辺形の第３辺とがなす角が平角であり、前記第２平行四辺形の第１辺と前記第３平行四辺形の第４辺とがなす角が平角であるタッチパネル。
【請求項７】
前記平行四辺形の短い辺の長さと長い辺の長さとの割合が、１：２である請求項６に記載のタッチパネル。
【請求項８】
前記電極が形成された透明基板をさらに含む請求項６に記載のタッチパネル。
【請求項９】
前記電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される請求項６に記載のタッチパネル。
【請求項１０】
前記電極は、銀塩乳剤層を露光／現像して形成される金属銀からなる請求項６に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を用いてテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために用いられる機器である。
【０００６】
タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在最も幅広い分野で用いられている方式は、抵抗膜方式タッチパネル及び静電容量方式タッチパネルである。
【０００７】
一方、タッチパネルは、特許文献１に開示されたように、金属を用いて電極を形成する研究が活発に進められている。このように、金属で電極を形成すると、電気伝導度に優れ、需給がスムーズになるという利点がある。しかし、金属で電極を形成する場合、ユーザに認識されることを防止するために、マイクロメータ（μｍ）単位のメッシュ（Ｍｅｓｈ）構造に形成しなければならない。しかし、タッチパネルの電極を規則的、かつ一定の間隔を有するメッシュ構造に形成すると、タッチパネルの電極パターンと画像表示装置（ＬＣＤなど）に備えられるカラーフィルタ（Ｃｏｌｏｒ  Ｆｉｌｔｅｒ）のブラックマトリックス（Ｂｌａｃｋ  Ｍａｔｒｉｘ）パターン間の周期特性が重複するため、モアレ（ｍｏｉｒｅ）現象が生じ、視認性が低下する問題点が存在する。
【先行技術文献】
【特許文献】
【０００８】
【特許文献１】韓国公開特許第１０−２０１０−００９１４９７号公報
【発明の概要】
【発明が解決しようとする課題】
【０００９】
本発明は、上述した従来技術の問題点を解決するためのものであって、本発明の目的は、一定の規則性を有し、かつ何れの方向にも連続するラインが形成されないパターンに形成される電極を含むことで、モアレ現象が生じることを防止することができるタッチパネルを提供することにある。
【課題を解決するための手段】
【００１０】
本発明の一実施例によるタッチパネルは、辺を共有しながら配列される長方形を含むパターンに形成された電極を含み、前記長方形は互いに平行な第１辺及び第２辺と、互いに平行な第３辺及び第４辺と、からなり、前記第１辺の長さは前記第３辺の長さより長く、前記長方形において、前記長方形のうち第１長方形の第１辺と第２長方形の第３辺とがなす角が平角であり、第３長方形の第１辺と第４長方形の第３辺とがなす角が平角であり、前記第２長方形の第１辺と前記第３長方形の第４辺とがなす角が平角であるものである。
【００１１】
本発明の一実施例によるタッチパネルにおいて、前記長方形の短い辺の長さと長い辺の長さとの割合が、１：２であることが好ましい。
【００１２】
本発明の一実施例によるタッチパネルにおいて、前記電極が形成された透明基板をさらに含むことが好ましい。
【００１３】
本発明の一実施例によるタッチパネルにおいて、前記電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることが好ましい。
【００１４】
本発明の一実施例によるタッチパネルにおいて、前記電極は、銀塩乳剤層を露光／現像して形成される金属銀からなることが好ましい。
【００１５】
本発明の他の実施例によるタッチパネルは、辺を共有しながら配列される平行四辺形を含むパターンに形成された電極を含み、前記平行四辺形は互いに平行な第１辺及び第２辺と、互いに平行な第３辺及び第４辺と、からなり、前記第１辺の長さは前記第３辺の長さより長く、前記第１辺と前記第３辺とがなす角は鋭角または鈍角であり、前記パターンに含まれる前記平行四辺形において、前記平行四辺形のうち第１平行四辺形の第１辺と第２平行四辺形の第３辺とがなす角が平角であり、第３平行四辺形の第１辺と第４平行四辺形の第３辺とがなす角が平角であり、前記第２平行四辺形の第１辺と前記第３平行四辺形の第４辺とがなす角が平角であるものである。
【００１６】
本発明の他の実施例によるタッチパネルにおいて、前記平行四辺形の短い辺の長さと長い辺の長さとの割合が、１：２であることが好ましい。
【００１７】
本発明の他の実施例によるタッチパネルにおいて、前記電極が形成された透明基板をさらに含むことが好ましい。
【００１８】
本発明の他の実施例によるタッチパネルにおいて、前記電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることが好ましい。
【００１９】
本発明の他の実施例によるタッチパネルにおいて、前記電極は、銀塩乳剤層を露光／現像して形成される金属銀からなることが好ましい。
【発明の効果】
【００２０】
本発明によると、電極パターンは何れの方向にも連続するラインを有しないため、タッチパネルでモアレ現象が生じることを防止することができ、これにより、タッチパネルの視認性を改善することができる利点がある。
【００２１】
また、本発明によると、電極パターンに含まれる長方形または平行四辺形が一定の配列規則を有するため、電極パターンの単位面積当たりの開口率を一定に維持することができ、タッチパネルが均一な電気伝導度及び視覚性を確保することができる効果がある。
【図面の簡単な説明】
【００２２】
【図１】本発明の第１実施例によるタッチパネルの平面図である。
【図２】図１に図示されたＡ領域を拡大した拡大図である。
【図３】図１に図示されたＢ領域を拡大した拡大図である。
【図４】図１の電極パターンにカラーフィルタのブラックマトリックスパターンが重なった状態を図示した平面図である。
【図５】図１の電極パターンにカラーフィルタのブラックマトリックスパターンが重なった状態を図示した平面図である。
【図６】本発明の好ましい第２実施例によるタッチパネルの平面図である。
【図７】図６に図示されたＡ領域を拡大した拡大図である。
【図８】図７に図示された平行四辺形の他の例を図示した拡大図である。
【図９】図６の電極パターンにカラーフィルタのブラックマトリックスパターンが重なった状態を図示した平面図である。
【図１０】図６の電極パターンにカラーフィルタのブラックマトリックスパターンが重なった状態を図示した平面図である。
【発明を実施するための形態】
【００２３】
本発明の目的、特定の利点及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ相違する図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２４】
以下、添付図面を参照して、本発明の好ましい実施例を詳細に説明する。
【００２５】
図１は、本発明の第１実施例によるタッチパネルの平面図であり、図２は、図１に図示されたＡ領域を拡大した拡大図であり、図３は、図１に図示されたＢ領域を拡大した拡大図である。
【００２６】
図１に図示されたように、本実施例によるタッチパネルは、隣接する辺を共有しながら配列される長方形を含むパターンに形成された電極２００を含む。
【００２７】
電極２００は、ユーザのタッチ時に信号を発生してコントローラでタッチ座標を認識できるようにする機能を果たすものであり、透明基板１００に形成させることができる。
【００２８】
ここで、電極２００は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成することができる。この際、電極２００は、メッキ工程やスパッタ（Ｓｐｕｔｔｅｒ）を用いた蒸着工程により形成することができる。
【００２９】
また、電極２００は、上述した金属の他にも銀塩乳剤層を露光／現像して形成された金属銀で形成することもできる。
【００３０】
一方、電極２００を形成するパターンは、長方形を含む。ここで、長方形は、互いに平行な二対の辺を有するが、このうち何れか一対の辺の長さは、他の一対の辺の長さより長く形成される。長方形をなす辺について、より具体的に説明するために、図２に図示された第１長方形２１１を例に挙げて説明すると、第１長方形２１１は、時計方向に沿って第１辺２０１、第４辺２０４、第２辺２０２及び第３辺２０３を有する。また、第１辺２０１及び第２辺２０２は、同じ長さを有し、かつ平行であり、第３辺２０３及び第４辺２０４も同様である。長さがより長く形成される前記何れか一対の辺は、図２に図示された第１長方形２１１において第１辺２０１及び第２辺２０２になる。即ち、第１辺２０１の長さは、第３辺２０３の長さより長い。このような長方形の縦横比は、様々であってもよい。例えば、長方形の短い辺の長さと長い辺の長さとの割合は、１：２であることが好ましい。
【００３１】
電極２００を形成するパターンは、前記長方形の多数が互いに辺を共有しながら配列されたものを含む。具体的に、電極２００のパターンは、図２に図示されたように、第１長方形２１１、第２長方形２１２、第３長方形２１３及び第４長方形２１４からなる長方形（以下、「第１長方形群」とする）２１１、２１２、２１３、２１４を含むことができる。
【００３２】
この際、第１長方形２１１及び第２長方形２１２において、第１長方形２１１の第１辺２０１と第２長方形２１２の第３辺２０３とがなす角が平角である。ここで、二つの辺が平角をなすということは、二つの辺が互いに連結されたことを前提に、辺間の角が１８０゜であることを意味する。以下でも同様である。従って、第１長方形２１１の第１辺２０１と、第２長方形２１２の第３辺２０３は、同一線上に延長される直線をなす。また、第３長方形２１３の第１辺２０１と、第４長方形２１４の第３辺２０３とがなす角もまた平角である。第３長方形２１３の第１辺２０１と、第４長方形２１４の第３辺２０３もまた同一線上に延長される直線をなす。
【００３３】
従って、第１長方形２１１及び第２長方形２１２、また第３長方形２１３及び第４長方形２１４は、互いに直角をなすように配列される形状を有する。
【００３４】
この際、第２長方形２１２の第１辺２０１と、第３長方形２１３の第４辺２０４もまた平角をなす。即ち、第３長方形２１３は、第１長方形２１１及び第２長方形２１２と辺を共有しながら配列され、この際、第３長方形２１３の第４辺２０４と、第２長方形２１２の第１辺２０１は同一線上に延長される直線をなす。
【００３５】
電極２００のパターンは、前記第１長方形群２１１、２１２、２１３、２１４を含む。また、第１長方形群２１１、２１２、２１３、２１４と同じ配列規則を有する他の長方形が前記第１長方形群２１１、２１２、２１３、２１４と辺を共有しながら連続して配列される形状からなることができる。
【００３６】
具体的に、電極２００のパターンは、図２に図示されたように、第１長方形群２１１、２１２、２１３、２１４と同じ配列規則を有する第５長方形２２１、第６長方形２２２、第７長方形２２３及び第８長方形２２４からなる他の長方形（以下、「第２長方形群」とする）２２１、２２２、２２３、２２４が、第１長方形群２１１、２１２、２１３、２１４と連続して配列される形状からなることができる。この場合、第２長方形２１２は、第５長方形２２１と、また第４長方形２１４は、第５及び第７長方形２２１、２２３と辺を共有する。
【００３７】
但し、前記では、第２長方形群と第１長方形群とを区別するために、第２長方形群を第１長方形群と別個の長方形群に説明した。しかし、第２長方形群のみを見ると、第２長方形群を形成する第５、６、７、８長方形２２１、２２２、２２３、２２４は、それぞれ第１長方形群を形成する第１、２、３、４長方形２１１、２１２、２１３、２１４に対応する長方形として見ることもできる。
【００３８】
一方、第１〜第８長方形２１１、２１２、２１３、２１４、２２１、２２２、２２３、２２４のうち、図３に図示された第２長方形２１２、第４長方形２１４、第５長方形２２１及び第７長方形２２３からなる長方形（以下、「第３長方形群」とする）２１２、２１４、２２１、２２３を見ると、その配列形態は、前記第１長方形群２１１、２１２、２１３、２１４が１８０゜回転した時の配列形態と同一である。また前記第２長方形群２２１、２２２、２２３、２２４が１８０゜回転した時の配列形態と同一である。従って、第３長方形群２１２、２１４、２２１、２２３の配列規則もまた第１長方形群２１１、２１２、２１３、２１４及び第２長方形群２２１、２２２、２２３、２２４の配列規則と同一である。
【００３９】
また、第３長方形群のみを見ると、第３長方形群を形成する第７、４、５、２長方形２２３、２１４、２２１、２１２は、第１長方形群を形成する第１、２、３、４長方形２１１、２１２、２１３、２１４に対応する長方形として見ることができる。
【００４０】
電極２００のパターンは、このような長方形を含むことにより、何れの方向にも連続するラインが形成されない。具体的に、図２に図示されたように、第２長方形２１２の第３辺２０３は、第４長方形２１４の領域でそれ以上延長されず、第２長方形２１２の第２辺２０２もまた第３長方形２１３の領域でそれ以上延長されない。第５長方形２２１の第１辺２０１と、第７長方形２２３の第１辺２０１もまたそれぞれ第２長方形２１２の領域、また第４長方形２１４の領域でそれ以上延長されない。
【００４１】
このように、電極２００のパターンは、横方向または縦方向など何れの方向にも連続するラインが形成されない。一方、画像表示装置（ＬＣＤなど）に備えられたカラーフィルタ（Ｃｏｌｏｒ  Ｆｉｌｔｅｒ）のブラックマトリックス（Ｂｌａｃｋ  Ｍａｔｒｉｘ）パターンは、周期的な格子構造を有し、かつ横方向と縦方向に連続するラインを有することが一般的である。従って、電極２００のパターンとブラックマトリックスパターンは、互いに周期特性が重ならず、これにより、本実施例によるタッチパネルは、モアレ現象が生じることを防止することができる。
【００４２】
さらに具体的に、図４及び図５を参照して、モアレ現象が生じないことについて説明すると、次のとおりである。
【００４３】
図４及び図５は、図１の電極パターンにカラーフィルタのブラックマトリックスパターンが重なった状態を図示した平面図である。
【００４４】
図４に図示されたように、電極２００のパターンは、何れの方向にも連続するラインを有しない。一方、画像表示装置（ＬＣＤなど）に備えられたカラーフィルタのブラックマトリックス１０のパターンは周期的な格子構造を有し、かつ横方向及び縦方向に連続するラインを有する。従って、電極２００のパターンとブラックマトリックス１０のパターンが重なるように配置されても、干渉現象が生じることを最小化することができ、これにより、モアレ現象を防止することができる。
【００４５】
また、図５に図示されたように、電極２００のパターンとブラックマトリックス１０のパターンとを重ねた状態で一定の角度で回転してもまた干渉現象が生じることを最小化することができ、これにより、モアレ現象を防止することができる。
【００４６】
それだけでなく、電極２００のパターンは、電極２００のパターンの単位面積当たりの開口率を一定に維持することができ、タッチパネルが均一な電気伝導度及び視覚性を確保することができる。
【００４７】
一方、電極２００は、透明基板１００（図１参照）に形成させることができ、ここで、透明基板１００は、電極２００を支持する支持力と画像表示装置で提供される画像をユーザが認識するための透明性を備えなければならない。前記支持力及び透明考慮すると、透明基板１００は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することができ、必ずしもこれに限定されるものではない。
【００４８】
さらに、透明基板１００を活性化させるために、高周波処理またはプライマー（Ｐｒｉｍｅｒ）処理を施すことが好ましい。このように、透明基板１００を活性化させることで、透明基板１００と電極２００との間の接着力を向上させることができる。
【００４９】
また、透明基板１００は、タッチパネルの最外側に備えられたウィンドウ（Ｗｉｎｄｏｗ）であることができる。透明基板１００がウィンドウである場合、ウィンドウに直接電極２００が形成されるため、別の透明基板１００に電極２００を形成した後、ウィンドウに付着する工程を省略することで、製造工程を単純化することができ、タッチパネルの全体の厚さを減少させることができる。
【００５０】
以下、本発明の第２実施例によるタッチパネルについて添付図面を参照して説明する。
【００５１】
図６は、本発明の好ましい第２実施例によるタッチパネルの平面図であり、図７は、図６に図示されたＡ領域を拡大した拡大図であり、図８は、図７に図示された平行四辺形の他の例を図示した拡大図である。
【００５２】
図６に図示されたように、本実施例によるタッチパネルは、辺を共有しながら配列される平行四辺形を含むパターンに形成された電極３００を含む。
【００５３】
電極３００は、第１実施例で説明した電極２００（図１参照）と同じ機能を果たすものである。即ち、電極３００は、ユーザのタッチ時に信号を発生して、コントローラでタッチ座標を認識できるようにする機能を果たすものであり、透明基板１００に形成させることができる。
【００５４】
電極３００は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成することができる。この際、電極３００は、メッキ工程やスパッタ（Ｓｐｕｔｔｅｒ）を用いた蒸着工程により形成することができる。また、電極３００は、上述した金属の他にも銀塩乳剤層を露光／現像して形成された金属銀からなることもできる。
【００５５】
本実施例は、長方形でなく、平行四辺形が電極３００を形成するパターンに関する。平行四辺形は、例えば、図７に図示された第１平行四辺形３１１と同様に、互いに平行な第１辺３０１及び第２辺３０２と、互いに平行な第３辺３０３及び第４辺３０４と、からなり、第１辺３０１の長さが第３辺３０３の長さより長い。即ち、互いに平行な一対の辺３０１、３０２の長さが互いに平行な他の一対の辺３０３、３０４の長さより長い。この際、平行四辺形の短い辺の長さと長い辺の長さとの割合は、例えば１：２であることが好ましい。
【００５６】
また、平行四辺形において、第１辺３０１と第３辺３０３とがなす角ａは、図７に図示されたように鈍角であることができる。この場合、第１辺３０１と第４辺３０４とがなす角ｂは鋭角になる。または平行四辺形において、上述したことと異なり、第１辺３０１と第３辺３０３とがなす角ｃは、図８に図示されたように鋭角であることができる。この場合、第１辺３０１と第４辺３０４とがなす角ｄは、鈍角になる。
【００５７】
このような平行四辺形３１１、３１２、３１３、３１４は、第１実施例で説明した長方形の配列規則と同一の配列規則を有しながら配列される。即ち、図７に図示されたように、第１平行四辺形３１１及び第２平行四辺形３１２において、第１平行四辺形３１１の第１辺３０１と第２平行四辺形３１２の第３辺３０３とがなす角が平角である。従って、第１平行四辺形３１１の第１辺３０１と、第２平行四辺形３１２の第３辺３０３は、同一線上に延長される直線をなす。また、第３平行四辺形３１３の第１辺３０１と第４平行四辺形３１４の第３辺３０３がなす角もまた平角である。第３平行四辺形３１３の第１辺３０１と、第４平行四辺形３１４の第３辺３０３もまた同一線上に延長される直線をなす。この際、第２平行四辺形３１２の第１辺３０１と、第３平行四辺形３１３の第４辺３０４もまた平角をなす。即ち、第３平行四辺形３１３は、第１平行四辺形３１１及び第２平行四辺形３１２と辺を共有しながら配列され、この際、第３平行四辺形３１３の第４辺３０４と第２平行四辺形３１２の第１辺３０１は、同一線上に延長される直線をなす。
【００５８】
電極３００のパターンは、このような平行四辺形３１１、３１２、３１３、３１４と同様な配列規則を有する他の平行四辺形が、前記平行四辺形３１１、３１２、３１３、３１４と辺を共有しながら連続して配列される形状を有することができる。
【００５９】
また、電極３００のパターンは、このように配列される平行四辺形を含んで形成されることで、何れの方向にも連続するラインが形成されない。従って、電極３００のパターンは、第１実施例と同様に、カラーフィルタのブラックマトリックス１０のパターンと互いに周期特性が重ならず、これにより、タッチパネルにモアレ現象が生じることを防止することができる。
【００６０】
さらに具体的に、図９及び図１０を参照して、モアレ現象が生じないことについて説明すると、次のとおりである。
【００６１】
図９及び図１０は、図６の電極パターンにカラーフィルタのブラックマトリックスパターンが重なった状態を図示した平面図である。
【００６２】
図９に図示されたように、電極３００のパターンは、何れの方向にも連続するラインを有しない。一方、画像表示装置（ＬＣＤなど）に備えられたカラーフィルタのブラックマトリックス１０のパターンは、周期的な格子構造を有し、かつ横方向及び縦方向に連続するラインを有する。従って、電極３００のパターンとブラックマトリックス１０のパターンが重なるように配置されても、干渉現象が生じることを最小化することができ、これにより、モアレ現象を防止することができる。
【００６３】
また、図１０に図示されたように、電極３００のパターンとブラックマトリックス１０のパターンを重ねた状態で一定の角度で回転してもまた干渉現象が生じることを最小化することができ、これにより、モアレ現象を防止することができる。
【００６４】
それだけでなく、電極３００のパターンは、電極３００のパターンの単位面積当たりの開口率を一定に維持することができ、タッチパネルが均一な電気伝導度及び視覚性を確保することができる。
【００６５】
一方、電極３００は、透明基板１００（図６参照）に形成することができ、透明基板１００は、第１実施例に関する説明で既に詳細に説明したため、ここでは透明基板１００に関する詳細な説明を省略する。
【００６６】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００６７】
本発明の単純な変形乃至変更はいずれも本発明の領域に属するものであり、本発明の具体的な保護範囲は添付の特許請求の範囲により明確になるであろう。
【産業上の利用可能性】
【００６８】
本発明は、モアレ現象が生じることを防止することにより、視認性を改善することができるとともに、均一な電気伝導度及び視覚性を確保することができるタッチパネルに適用可能である。
【符号の説明】
【００６９】
１０  ブラックマトリックス
１００  透明基板
２００  電極
２０１  第１辺
２０２  第２辺
２０３  第３辺
２０４  第４辺
２１１  第１長方形
２１２  第２長方形
２１３  第３長方形
２１４  第４長方形
２２１  第５長方形
２２２  第６長方形
２２３  第７長方形
２２４  第８長方形
３００  電極
３０１  第１辺
３０２  第２辺
３０３  第３辺
３０４  第４辺
３１１  第１平行四辺形
３１２  第２平行四辺形
３１３  第３平行四辺形
３１４  第４平行四辺形
【図１】
2014049110.tif 000003
【図２】
2014049110.tif 000004
【図３】
2014049110.tif 000005
【図４】
2014049110.tif 000006
【図５】
2014049110.tif 000007
【図６】
2014049110.tif 000008
【図７】
2014049110.tif 000009
【図８】
2014049110.tif 000010
【図９】
2014049110.tif 000011
【図１０】
2014049110.tif 000012